(57)【要約】【課題】  電力を受け取り液晶表示器のピクセル行列の複数ピクセルユニットに蓄えられる電荷を制御する放電回路を提供することを目的とする。【解決手段】  液晶表示器の放電回路は、前記電力を受け取り、前記電力を失うとき制御信号を発生させる制御回路と、スイッチを有する複数放電パスを形成する水平駆動回路及びプレ充電データ回路と、前記制御信号を受け取り選択信号を発生させ、前記放電パスのスイッチを起動させる選択回路とを備えて成ることを特徴とする。【選択図】  図１
2009058942.tif 000002
【特許請求の範囲】
【請求項１】
電力を受け取り液晶表示器のピクセル行列の複数ピクセルユニットに蓄えられる電荷を制御する放電回路であり、
前記電力を受け取り、前記電力を失うとき制御信号を発生させる制御回路と、
スイッチを有する複数放電パスを形成する水平駆動回路及びプレ充電回路と、
前記制御信号を受け取り選択信号を発生させ、前記放電パスのスイッチを起動させる選択回路とを備えて成ることを特徴とする液晶表示器の放電回路。
【請求項２】
前記放電パスのスイッチは前記水平駆動回路に設けられ、
前記選択信号は前記水平駆動回路まで伝送され、前記スイッチをONの状態に切り替えることを特徴とする請求項１記載の液晶表示器の放電回路。
【請求項３】
前記プレ充電回路はさらにプレ充電データ回路(PCD Circuit)を含み、
前記放電パスのスイッチは前記プレ充電データ回路に設けられ、
前記選択信号は前記プレ充電回路まで伝送され、前記スイッチをONの状態に切り替えることを特徴とする請求項１記載の液晶表示器の放電回路。
【請求項４】
前記放電回路はさらに垂直駆動回路を含み、
前記ピクセル行列はさらに、前記ピクセルユニットと前記放電パスとを接続させる複数スイッチを含み、
前記垂直駆動回路は前記ピクセル行列のスイッチを制御することを特徴とする請求項１記載の液晶表示器の放電回路。
【請求項５】
電力を受け取る液晶表示器であり、
複数ピクセルユニットを有するピクセル行列と、
前記ピクセルユニットに蓄えられる電荷を制御し、前記電力を受け取り、前記電力を失うとき制御信号を発生させる制御回路と、
スイッチを有する複数放電パスを形成する水平駆動回路及びプレ充電回路と、
前記制御信号を受け取り選択信号を発生させ、前記放電パスのスイッチを起動させる選択回路とを備えて成ることを特徴とする液晶表示器。
【請求項６】
前記放電パスのスイッチは前記水平駆動回路に設けられ、
前記選択信号は前記水平駆動回路まで伝送され、前記スイッチをONの状態に切り替えることを特徴とする請求項５記載の液晶表示器。
【請求項７】
前記プレ充電回路はさらにプレ充電データ回路(PCD Circuit)を含み、
前記放電パスのスイッチは前記プレ充電データ回路に設けられ、
前記選択信号は前記プレ充電回路まで伝送され、前記スイッチをONの状態に切り替えることを特徴とする請求項５記載の液晶表示器。
【請求項８】
前記放電回路はさらに垂直駆動回路を含み、
前記ピクセル行列はさらに、前記ピクセルユニットと前記放電パスとを接続させる複数スイッチを含み、
前記垂直駆動回路は前記ピクセル行列のスイッチを制御することを特徴とする請求項５記載の液晶表示器。
【請求項９】
請求項５の液晶表示器と、
前記液晶表示器と電気的に接続し電力を前記液晶表示器に提供する電力とを備えて成ることを特徴とする映像表示制御器。
【請求項１０】
前記映像表示制御器は携帯電話、デジタルカメラ、ピーディーエー、ラップトップコンピュータ、デスクトップコンピュータ、テレビ、全地球測位システム、自動車用の表示器、飛行機用の表示器、デジタルフォトフレーム、又はポータブルDVDプレーヤーに使用されるものあることを特徴とする請求項９記載の映像表示制御器。
【発明の詳細な説明】
【技術分野】
【０００１】
本発明は液晶表示器の放電回路、液晶表示器及び映像表示制御器に関し、特に異常な電源オフ状態でも放電できる液晶表示器の放電回路、液晶表示器及び映像表示制御器に関する。
【背景技術】
【０００２】
一般的な操作モードでは、映像表示制御器の液晶表示器は内蔵の制御回路(Application for Specific IC, ASIC)で電源オフ状態の順序を制御し、映像を表示したピクセル行列を正常に放電させることにより、その液晶表示器の画面をなくし電源オフ状態にする。
【０００３】
液晶表示器が一般的な順序で電源オフ状態にされなかったら、制御回路はオフ信号を受け取らないまま電力の供給を瞬間に失う。すると、その制御回路も該液晶表示器のロジックゲートも制御することができない。該制御回路が該液晶表示器の電源オフ状態の順序を有効に制御できないので、電源オフ状態にされた液晶表示器には残象の問題を起こした。
【０００４】
従来の液晶表示器（特に小型の液晶表示器）では、制御器端に放電回路を設けることがある。それにより、液晶表示器が異常な電源オフ状態になる場合でも該液晶表示器のピクセル行列を放電させることができる。
【０００５】
図６は従来の液晶表示器及びそれと電気的に接続した電子制御器を示すブロック図であり、液晶表示器10と、液晶表示器10を制御する外部電子制御器20とを含む。外部電子制御器20は、処理器21と応用回路22と制御回路23と放電回路24とを含む。外部電子制御器20の処理器21は応用回路22と制御回路23により異なる制御信号を発生させ、それらを液晶表示器10に送信し液晶表示器10の映像表示を制御する。外部電子制御器20はさらに放電回路24により、液晶表示器10が異常な電源オフ状態になるとき該液晶表示器を放電させ、液晶表示器10に残象の問題が起こるのを避ける。
【０００６】
図７は従来の電子制御器の放電回路24を示すブロック回路図である。図７に示すように、電圧信号VDDは電圧源を放電回路24と液晶表示器10の正電圧に同時に提供し、電圧信号VEEは電圧源を液晶表示器10の内部回路のゲートの負電圧に提供する。正常な操作状態では、トランジスタ(PMOSFET)Q1はOFFの状態で、キャパシタC2は電圧信号VDDからの電圧VC2(=VDD-VD1)を蓄積する。液晶表示器10が電力の供給を失うとき、電圧信号VDDは低レベルになる。電圧VDDが電圧VC2より小さく、トランジスタQ1はONの状態になるため、キャパシタC2はキャパシタC1に電荷分配(Charge Sharing)を行う。キャパシタC1がキャパシタC2から電荷を受け取り電圧レベルを増加し、電圧信号VEEの電圧レベルを高レベルにし、液晶表示器10の内部のゲートをONの状態にする。それにより液晶表示器10の内部に蓄積された電荷を排除し、残象の問題を起こさないようにする。
【０００７】
それにしても、追加の放電回路を設けるため、上記の従来の電子制御器ではコストが高くなり回路が複雑になるという問題がある。
【発明の開示】
【発明が解決しようとする課題】
【０００８】
上記の問題を解決するために、本発明は液晶表示器、及び液晶表示器の放電回路を提供する。その液晶表示器の放電回路により、液晶表示器10が異常な電源オフ状態になるとき放電パスを提供し、ピクセルユニットの液晶キャパシタに蓄えられる電荷を放電することを目的とする。
【課題を解決するための手段】
【０００９】
上記目的を達成するための本発明は、電力を受け取り液晶表示器のピクセル行列の複数ピクセルユニットに蓄えられる電荷を制御する放電回路を提供することで上記課題を良好に解決する。該放電回路は、前記電力を受け取り、前記電力を失うとき制御信号を発生させる制御回路と、スイッチを有する複数放電パスを形成する水平駆動回路及びプレ充電回路と、前記制御信号を受け取り選択信号を発生させ、前記放電パスのスイッチを起動させる選択回路とを備えて成ることを特徴とする。
【００１０】
上記目的を達成するための本発明は、電力を受け取る液晶表示器を提供することで上記課題を良好に解決する。該液晶表示器は、複数ピクセルユニットを有するピクセル行列と、前記ピクセルユニットに蓄えられる電荷を制御し、前記電力を受け取り、前記電力を失うとき制御信号を発生させる制御回路と、スイッチを有する複数放電パスを形成する水平駆動回路及びプレ充電回路と、前記制御信号を受け取り選択信号を発生させ、前記放電パスのスイッチを起動させる選択回路とを備えて成ることを特徴とする。
【００１１】
上記目的を達成するための本発明は、映像表示制御器を提供することで上記課題を良好に解決する。該映像表示制御器は、液晶表示器と、前記液晶表示器と電気的に接続し電力を前記液晶表示器に提供する電源とを備えて成ることを特徴とする。該液晶表示器は、複数ピクセルユニットを有するピクセル行列と、前記ピクセルユニットに蓄えられる電荷を制御し、前記電力を受け取り、前記電力を失うとき制御信号を発生させる制御回路と、スイッチを有する複数放電パスを形成する水平駆動回路及びプレ充電回路と、前記制御信号を受け取り選択信号を発生させ、前記放電パスのスイッチを起動させる選択回路とを備えて成る。
【発明の効果】
【００１２】
本発明は、放電回路が液晶表示器の内部に設けられるため、外部の電子制御器に放電回路を設ける必要が無く、液晶表示器が異常な電源オフ状態になるとき蓄えられる電荷を放電する放電パスを提供するという目的に達する。
【発明を実施するための最良の形態】
【００１３】
本願発明のその他の利点及び特徴については、以下に行う発明の実施の形態の説明から、より明らかとなるであろう。下記実施の形態は本発明の技術的手段をより具体的に詳述するためのもので、当然本発明はそれに限定されず、添付クレームの範囲を逸脱しない限り、当業者による単純な設計変更、付加、修飾、及び置換はいずれも本発明の技術的範囲に属する。
【００１４】
本発明は液晶表示器に関し、特に異常な電源オフ状態でも放電できる放電回路を備えてなる液晶表示器に関する。
【００１５】
図１は本発明による実施形態１の液晶表示器の構成を示す図である。液晶表示器10は、ピクセル行列11と制御回路(Application for Specific IC, ASIC)12と垂直駆動回路(Vertical Driver)13と水平駆動回路(Horizontal Driver)14とプレ充電回路(Pre-charge Circuit)15と選択回路(Gate All Selection Circuit, GAS Circuit)16とを含む。
【００１６】
制御回路12は垂直駆動回路13と水平駆動回路14と電気的に接続し、制御信号STV、CKV、XCKV及びENBを垂直駆動回路13に伝送し、制御信号STH、CKH及びXCKHを水平駆動回路14に伝送し、それによりピクセル行列11の映像表示を制御する。制御回路12はさらに選択回路16と電気的に接続し、プレ充電回路15を制御することによりピクセル行列11を放電させる。
【００１７】
図２Ａは本発明による実施形態１のピクセル行列を示す図である。ピクセル行列11は複数ピクセルユニット111と複数ピクセルスイッチ112とを含む。ピクセルユニット111は電荷を蓄えることにより異なる映像を表示する効果に達する。ピクセルスイッチ112は電子スイッチである。本発明の実施形態１において、ピクセルスイッチ112は薄膜トランジスタ(Thin Film Transistor, TFT)であっても好ましい。
【００１８】
水平駆動回路14は複数のデータラインを通し、ピクセルユニット111に蓄えられた電荷を制御する。垂直駆動回路13は複数のゲートラインを通し、ピクセルスイッチ112がON、OFFの状態になるのを制御する。垂直駆動回路13がゲートラインに高レベルの電圧信号を出力すると、該ゲートラインにある全てのピクセルスイッチ112は遂にONの状態になり、それぞれピクセルスイッチ112に対応するピクセルユニット111は直接にデータラインと電気的に接続する。一方、垂直駆動回路13がゲートラインに低レベルの電圧信号を出力すると、該ゲートラインにある全てのピクセルスイッチ112は遂にOFFの状態になり、それぞれピクセルスイッチ112に対応するピクセルユニット111は直接にデータラインとは電気的に接続しない。
【００１９】
図２Ｂは本発明による実施形態１のピクセル行列を局部的に示す図である。図２Ｂに示すように、各ピクセルユニット111は液晶キャパシタCLと、それと並列接続し液晶キャパシタCLの特性を維持する維持キャパシタCSTとを含む。対応のピクセルスイッチ112がONの状態になると、水平駆動回路14は対応のデータラインを通し液晶キャパシタCLに充放電し、液晶キャパシタCLに蓄えられた電荷を変え、それに基づいてピクセルユニット111の映像表現を変化させる。
【００２０】
図１と図２Ａを同時に参照する。液晶表示器10が異常な電源オフ状態になると、制御回路12は電力の供給を失い、制御信号STV、CKV及びXCKVを垂直駆動回路13に伝送することも、制御信号STH、CKH及びXCKHを水平駆動回路14に伝送することもできない。そのため、制御回路12はピクセル行列11をちょうどよくOFFの状態にさせることができない。即ち、部分のピクセルユニット111の液晶キャパシタCLに蓄えられた電荷は排出することができない。選択回路16でプレ充電回路15を制御することにより、プレ充電回路15を通し液晶キャパシタCLに蓄えられた電荷を排出する。遂にピクセル行列11には残象の問題を起こさないようにすることができる。
【００２１】
本発明の実施形態１において、制御回路12が異常な電源オフ状態（即ち、オフ信号を受け取る前に電力を失う）を検出すると、制御回路12は内部に残された電力により低エネルギーの制御信号(GAS_Signal)を発生させることもできる。選択回路16はこの制御信号(GAS_Signal)に基づいて選択信号(GAS_VDD)を発生させ、この選択信号(GAS_VDD)を垂直駆動回路13及びプレ充電回路15に伝送する。
【００２２】
図１と図３を同時に参照する。図３は本発明による実施形態１の垂直駆動回路13を示すロジック回路図である。選択回路16は選択信号(GAS_VDD)を垂直駆動回路13に提供し、ゲートラインの電圧レベルを制御する。垂直駆動回路13は複数のNANDゲート131を含み、それらにより、それぞれのゲートラインが高レベル又は低レベルの電圧信号を出力することを制御する。制御回路12が一定の電力の供給を受け取るとき、選択回路16は高レベルの選択信号(GAS_VDD)を発生させ、制御信号CKV1、CKV2、STV及びENBが複数のNANDゲート131に対する操作に影響を与えない。
【００２３】
制御回路12が異常な電源オフ状態を検出すると、選択信号(GAS_VDD)の電圧レベルは遂に低レベルになり、NANDゲートの作動によりそれらのNANDゲート131に高レベルの電圧信号を出力させる。それに基づいて全てのピクセルスイッチ112をONの状態にならせる。全てのデータラインは対応の液晶キャパシタCLと電気的に接続する。プレ充電回路15は液晶キャパシタCLの充放電プロセスを制御する。
【００２４】
図４は本発明による実施形態１のプレ充電回路15を示すロジック回路図である。図４に示すように、水平駆動回路14はそれらのゲートラインによりピクセル行列11を制御し、プレ充電回路15とともに放電パスを形成する。そうすると、ピクセル行列11のピクセルユニット111はプレ充電回路15により電荷を放出することができる。
【００２５】
プレ充電回路15はさらに、プレ充電データ回路(Pre-charge Data Circuit, PCD Circuit)151と複数の選択スイッチ152とを含む。プレ充電データ回路151はプレ充電データ(Pre-charge Data, PCD)を出力し、それをピクセル行列11の背景表示信号とする。プレ充電データ回路151は、プレ充電データをデータラインに出力することにより、該データラインの接続したピクセルユニット111をリセットすることができる。したがって、プレ充電データ回路151を通し、データラインの全てのピクセルユニット111の液晶キャパシタCLに蓄えられた電荷を放出することができる。それらの選択スイッチ152はデータラインを通し、水平駆動回路14とプレ充電データ回路151と電気的に接続し放電パスを形成する。すると、ピクセルユニット111の液晶キャパシタCLはプレ充電データ回路151により電荷を放出する。
【００２６】
プレ充電回路15の輸入端はNANDゲート153と電気的に接続し、信号源がプレ充電制御信号(Pre-charge control signal, PCG)及び選択信号(GAS_VDD)である。プレ充電制御信号(PCG)はプレ充電回路15の選択スイッチ152がON、OFFの状態になるのを制御するものである。しかしながら、液晶表示器10が異常な電源オフ状態になると、制御回路12はそれらの選択スイッチを制御するような、十分なエネルギーを有するプレ充電制御信号(PCG)を発生することができない。プレ充電制御信号(PCG)は遂に制御されない制御信号になってしまう。
【００２７】
液晶表示器10が異常な電源オフ状態になるとき選択信号(GAS_VDD)が低レベルになるので、NANDゲート153により低レベルの選択信号(GAS_VDD)を高レベルの電圧信号に変換し、それらの選択スイッチを駆動しONの状態にならせることができる。すると、ピクセルユニット111の液晶キャパシタCLはプレ充電データ回路151により電荷を放出する。
【００２８】
図５は本発明による実施形態２の液晶表示器の構成を示す図である。本発明の実施形態２において、水平駆動回路14に複数の選択スイッチ141を設けてもよい。それらの選択スイッチ141はデータラインを通しプレ充電データ回路151と接続し放電パスを形成する。すると、ピクセルユニット111の液晶キャパシタCLはプレ充電データ回路151により蓄えられた電荷を放出する。選択信号(GAS_VDD)を直接に水平駆動回路14の選択スイッチ141に提供する。液晶表示器10が異常な電源オフ状態になるとき、選択信号(GAS_VDD)の電圧レベルは低レベルになる。したがって、NOTゲート142により低レベルの選択信号(GAS_VDD)を高レベルの電圧信号に変換することができる。さらに、それらの選択スイッチをONの状態にならせ、プレ充電データ回路151を通しピクセルユニット111の液晶キャパシタCLに蓄えられた電荷を放出することもできる。
【００２９】
上記に述べたように、垂直駆動回路13が選択信号(GAS_VDD)を受け取るとき、垂直駆動回路13は全てのゲートラインの電圧レベルを高レベルに上げる。全てのピクセルスイッチ112がONの状態になるので、全てのピクセルユニット111の液晶キャパシタCLは対応のデータラインと電気的に接続する。一方、プレ充電回路15が選択信号(GAS_VDD)を受け取るとき、プレ充電データ回路151はデータラインにより全てのピクセルユニット111の液晶キャパシタCLをリセットする。そうすると、異常な電源オフ状態があるとき、ピクセル行列11に残象の問題が生じないようにする。
【００３０】
図８は本発明による映像表示制御器を示すブロック図である。図８の実施形態において、映像表示制御器600は液晶表示器10及び電源500を含む。表示パネル400は電子装置の一部でもよく、界面駆動回路200をさらに含む。電源500は液晶表示器10と電気的に接続し電力を液晶表示器10に提供する。映像表示制御器600は携帯電話、デジタルカメラ、ピーディーエー、ラップトップコンピュータ、デスクトップコンピュータ、テレビ、全地球測位システム、自動車用の表示器、飛行機用の表示器、デジタルフォトフレーム、又はポータブルDVDプレーヤーであってもよい。
【００３１】
本発明は液晶表示器とその放電回路により、外部の電子制御器に放電回路を設ける必要が無く、液晶表示器が異常な電源オフ状態になるときの放電機能を発揮し、残象の問題を避けることができる。
【００３２】
上記実施の形態は本発明の技術的手段をより具体的に詳述するためのもので、当然本発明はそれに限定されず、添付クレームの範囲を逸脱しない限り、当業者による単純な設計変更、付加、修飾、及び置換はいずれも本発明の技術的範囲に属する。
【図面の簡単な説明】
【００３３】
【図１】本発明による実施形態１の液晶表示器の構成を示す図である。
【図２Ａ】本発明による実施形態１のピクセル行列を示す図である。
【図２Ｂ】本発明による実施形態１のピクセル行列を局部的に示す図である。
【図３】本発明による実施形態１の垂直駆動回路13を示すロジック回路図である。
【図４】本発明による実施形態１のプレ充電回路15を示すロジック回路図である。
【図５】本発明による実施形態２の液晶表示器の構成を示す図である。
【図６】従来の液晶表示器及びそれと電気的に接続した電子制御器を示すブロック図である。
【図７】従来の電子制御器の放電回路24を示すブロック回路図である。
【図８】本発明による映像表示制御器を示すブロック図である。
【符号の説明】
【００３４】
10  液晶表示器
11  ピクセル行列
111  ピクセルユニット
112  ピクセルスイッチ
12  制御回路
13  垂直駆動回路
131  NANDゲート
14  水平駆動回路
141  選択スイッチ
142  NOTゲート
15  プレ充電回路
151  プレ充電データ回路
152  選択スイッチ
153  NANDゲート
16  選択回路
20  電子制御器
21  処理器
22  応用回路
23  制御回路
24  放電回路
500  電源
600  映像表示制御器
【図１】
2009058942.tif 000003
【図２Ａ】
2009058942.tif 000004
【図２Ｂ】
2009058942.tif 000005
【図３】
2009058942.tif 000006
【図４】
2009058942.tif 000007
【図５】
2009058942.tif 000008
【図６】
2009058942.tif 000009
【図７】
2009058942.tif 000010
【図８】
2009058942.tif 000011